(57)【要約】      （修正有）【課題】各種機器のコントロール基板や付加機能機器などが発生する電波ノイズや熱を、シールドボックスそのものを大型化したり複数に分割することなく、また、冷却効率を悪化させることなく効率よくシ−ルド、放熱することのできるシールドボックスを提供する。【解決手段】略長方形状に形成されて増設メモリ用コネクタや電波ノイズと熱の発生源となるＣＰＵなどの電子部品を収容した第１の回路ブロックを覆う第１のボックス２２１と、付加機能機器または基板を挿脱できるようにした第２の回路ブロックを覆う第２のボックス２２２とからなり、電気的シールドと放熱を行うシールドボックスを、少なくとも増設メモリなどを挿脱するための開口２３６と冷却風通風孔２４３、及び第１のボックス２２１と第２のボックス２２２とを隔てる隔壁２４０と周囲を取り囲む側壁とを１枚板金で形成し、第１の回路ブロックにおける開口部をリッド２５で閉じて構成した。【選択図】図１
2007095967.tif 000002
【特許請求の範囲】
【請求項１】
コントロール基板における第１の回路ブロックを覆う第１のボックスと、前記第１の回路ブロックと隣接するよう配置された第２の回路ブロックを覆う第２のボックスとからなるシールドボックスであって、
前記第１と第２のボックスは、前記第１の回路ブロックと第２の回路ブロックとを仕切る隔壁と周囲を取り囲む側壁とが１枚板金で形成され、前記隔壁に、付加機能機器または付加機能基板を挟持して案内する内側に突出したガイド部が形成されていることを特徴とするシールドボックス。
【請求項２】
前記シールドボックスは、前記コントロール基板に搭載した回路部品の冷却を行う通風孔と、増設メモリを含む回路部品を前記コントロール基板に挿抜するための開口と、該開口を封止し且つ開閉可能な蓋壁とが設けられていることを特徴とする請求項１に記載したシールドボックス。
【請求項３】
前記シールドボックスは、画像形成装置の駆体取り付け面に取り付けられて前記駆体取り付け面に取り付けられたファンからの風を導入し、前記シールドボックスにおける駆体取り付け面とは反対側に位置してスリットを有する外カバーから外部に排出するよう配置されていることを特徴とする請求項１または２に記載したシールドボックス。
【請求項４】
前記第１の回路ブロックは発熱部品を含む制御回路を収容し、前記外カバーに設けられたスリットは、前記第１の回路ブロックに対応して設けられていることを特徴とする請求項３に記載したシールドボックス。
【請求項５】
前記第２の回路ブロックは、挿抜可能な付加機能機器または付加機能基板を収容することを特徴とする請求項１乃至４のいずれかに記載したシールドボックス。
【発明の詳細な説明】
【技術分野】
【０００１】
本発明は、各種機器におけるコントロール基板などの電気的シールドと放熱とを行うシールドボックスに関するものである。
【背景技術】
【０００２】
例えば電子写真方式を利用した複写機、プリンタ、ファクシミリ、それらの複合機などの画像形成装置やその他の各種機器は、パーソナル化の要求から小型化、低価格化が望まれ、また、画像形成装置においてはカラー写真やカラー情報をプリントする必要性から年々高速化されてきている。
【０００３】
この高速化を実現するためには、処理速度の速いＣＰＵやメモリ、及びクロックジェネレータ等を使うと共に、画像形成装置においては感光体ドラムや現像装置を高速回転させる必要があるが、処理速度の速いＣＰＵやメモリなどの周辺部品はノイズや発熱が大きく、また、モータやギアも高速回転させることで当然発熱量が大きくなる。そのため、複数の部品から発生する熱や電波ノイズの遮蔽（シ−ルド）を行う必要があり、また、強力なファンや放熱板などを用いて効率的に放熱させたり冷却する必要もある。
【０００４】
また、メモリの増設などによってコネクタなどの制御回路部品が多くなると、コントロール基板そのものが大きくなってしまうが、画像形成装置やその他の各種機器を小型に構成するためにはモータやギアの設置場所が限られてくるため、コントロール基板を正方形や長方形とするとその設置が難しくなって、逆に画像形成装置やその他の各種機器を大型にせざるを得なくなるという問題も生じる。
【０００５】
それを避けるために基板を分割して設けると、シールドボックスも別々に設ける必要が生じ、また、発熱する部品を分散させると、それぞれの発熱部位で放熱対策を施したり冷却用の送風を行う必要があり、それだけ放熱効率が悪くなると共にコストアップにもなってしまう。
【０００６】
特に、画像形成装置やその他の各種機器においては、本体出荷後に取り付け可能な付加機能機器やそのコントロール基板などを装填できるよう、定められた規格のコネクタと所定の大きさの空間とを用意するといったことが従来から行われてきたが、こういった付加機能機器も場合によっては発熱する部品を含む場合があると共に厚さが基板などと較べて厚く、そのため収容場所にも厚さが必要であると共に熱対策や電波ノイズの遮蔽（シ−ルド）等が必要となる。
【０００７】
こういったことに対処するため例えば特許文献１には、画像形成装置内の狭い空間を有効利用するため、背の高い電子部品を上向きに搭載した基板と、背の低い電子部品を下向きに搭載した別々の２つの基板を段違いに配置し、両基板に搭載された電子部品の高さの違いによって生じる空間に画像形成装置の搬送手段を配した画像形成装置が開示されている。
【０００８】
また、特許文献２には、基板周囲をシールド板で被覆すると共に上下に空気連通孔を有したシールド板を配して複数の基板が縦に並列に配され、下方の開口から進入したノイズを減衰させるダクトを設けた基板用シールド装置が開示されている。
【０００９】
さらに特許文献３には、１枚の板金から周囲の側壁、センターシールド壁、センターシールド壁と平行な側壁の間の空間を少なくとも２つ以上に分割するサブシールド壁それぞれを形成し、制御基板を磁気遮蔽するフレーム形状のシールドケースが示されている。
【００１０】
そして特許文献４には、基板の周囲を囲むシールド枠と上から嵌合させるシールドカバーとから構成されるシールドケースにおいて、シールド枠の一部にフランジ部を形成してそのフランジ部に孔を形成し、シールドカバーの縁部をその孔に嵌合させると共にシールドカバー側にも孔を設け、舌状のフランジ部先端が入り込むようにし、シールド枠とシールドカバーとを嵌合させるようにしたシールドケースが示されている。
【００１１】
【特許文献１】特開２００４−１０２１６５号公報
【特許文献２】特許３２３２７４８号公報
【特許文献３】特開昭６４−４４０９６号
【特許文献４】特開２００３−１３３７７７号公報
【発明の開示】
【発明が解決しようとする課題】
【００１２】
しかしながら特許文献１、特許文献２に示された構成では、基板を２枚、あるいはそれ以上用い、特許文献１では部品面が相対するように上下に段違いに配置し、特許文献２では並列に縦に配置しており、特許文献１では基板を２段にしたことによって他の部材を配置する空間を確保しているがシールドすべき空間が大きくなり、特許文献２ではさらにノイズを減衰させるためのダクトが設けられて大きなシールド部材やダクトなどの部材を必要とする。
【００１３】
また、特許文献３に示されたシールドケースは、１枚の板金で効率よくシールドケースを形成することが示されているが、このシールドケースと基板が長方形状に形成されており、モータやギアの設置によってコントロール基板の設置位置が限られた場合は画像形成装置やその他の各種機器そのものが大型化してしまう。
【００１４】
さらに特許文献４に示されたシールドケースは、単にシールドケースを薄型化するための構成であって、前記した本体出荷後に取り付け可能な付加機能機器などを搭載する場合については何ら考慮されていない。
【００１５】
そこで、本発明はかかる従来技術の問題に鑑み、各種機器のコントロール基板や本体出荷後に取り付け可能な付加機能機器とその基板など、複数の部品から発生する熱や電波ノイズをシールドボックスそのものを大型化したり複数に分割することなく効率よく遮蔽（シ−ルド）し、しかも、冷却効率を悪化させたり各種機器そのものを大型化させてしまうことなく経済的に形成できるようにしたシールドボックスを提供することが課題である。
【課題を解決するための手段】
【００１６】
上記課題を解決するため本発明におけるシールドボックスは、
コントロール基板における第１の回路ブロックを覆う第１のボックスと、前記第１の回路ブロックと隣接するよう配置された第２の回路ブロックを覆う第２のボックスとからなるシールドボックスであって、
前記第１と第２のボックスは、前記第１の回路ブロックと第２の回路ブロックとを仕切る隔壁と周囲を取り囲む側壁とが１枚板金で形成され、前記隔壁に、付加機能機器または付加機能基板を挟持して案内する内側に突出したガイド部が形成されていることを特徴とする。
【００１７】
このように、シールドボックスにおける周囲を取り囲む側壁と、第１の回路ブロックと第２の回路ブロックとを仕切る隔壁とを１枚板金で構成したことで、シールドボックスそのものを丈夫に構成でき、各回路ブロックの発熱量が異なる場合も隔壁の存在で個別に効率的に冷却することが可能となる。さらに隔壁に、付加機能機器または付加機能基板を挟持して案内するガイド部を形成したことで、別途ガイドを設ける必要がないから部品点数削減と組立て工数の削減が可能となってコストダウンができる。
【００１８】
そして、前記シールドボックスは、前記コントロール基板に搭載した回路部品の冷却を行う通風孔と、増設メモリを含む回路部品を前記コントロール基板に挿抜するための開口と、該開口を封止し且つ開閉可能な蓋壁とが設けられていることで、増設メモリを含む回路部品を容易に追加したり交換したりすることができる。
【００１９】
さらに、前記シールドボックスは、画像形成装置の駆体取り付け面に取り付けられて前記駆体取り付け面に取り付けられたファンからの風を導入し、前記シールドボックスにおける駆体取り付け面とは反対側に位置してスリットを有する外カバーから外部に排出するよう配置されていることで、シールドボックス内に収容したコントロール基板からの発熱は、効率的に外部に排出することができる。
【００２０】
前記第１の回路ブロックは発熱部品を含む制御回路を収容し、前記外カバーに設けられたスリットは、前記第１の回路ブロックに対応して設けられていることで、発熱部品を含む制御回路からの発熱は、効率的に排熱することができる。
【００２１】
そして、前記第２の回路ブロックは、挿抜可能な付加機能機器または付加機能基板を収容するように設けられていることで、例え出荷後であっても、追加機能を容易に付加することができる。
【発明の効果】
【００２２】
本発明によれば、シールドボックスにおける周囲を取り囲む側壁と、第１の回路ブロックと第２の回路ブロックとを仕切る隔壁とを１枚板金で構成たことで、シールドボックスそのものを丈夫に構成でき、各回路ブロックの発熱量が異なる場合も個別に効率的に冷却することが可能となる。さらに隔壁に、付加機能機器または付加機能基板を挟持して案内するガイド部を形成したことで、別途ガイドを設ける必要がない部品点数削減と組立て工数の削減が可能となってコストダウンができる。
【発明を実施するための最良の形態】
【００２３】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２４】
図１は本発明になるシールドボックス２２の一例を、（Ａ）は表側（コントロール基板２０を覆う側）から、（Ｂ）は裏側から見た斜視図、図２はこのシールドボックス２２によって電気的シールドと放熱を行うコントロール基板２０の一例斜視図、図３はシールドボックス２２を１枚の板金で製作する際の展開図、図４はシールドボックス２２における開口２２６を塞ぐリッド（蓋壁）２５を除いて図１と同様表側（Ａ）と裏側（Ｂ）から見た斜視図、図５はシールドボックス２２における開口部２２６を塞ぐリッド２５を表側（Ａ）と裏側（Ｂ）から見た斜視図、図６はシールドボックス２２における、コントロール基板２０の第１の回路ブロックと第２の回路ブロックを覆う部分の接続部を示した斜視図、図７は第１の回路ブロックに搭載しきれなかった制御回路などを搭載し、第１の回路ブロックと制御対象を結ぶ中継基板の斜視図、図８はコントロール基板２２に図７に示した中継基板を接続した状態を背後から見た斜視図、図９は本発明になるシールドボックス２２を各種機器における一例としての画像形成装置の外装周辺装置にリッド２５を外した状態で実装した状態を示す斜視図、図１０は本発明におけるシールドボックス２２とコントロール基板２０を各種機器における一例としての画像形成装置本体側フレームに取り付ける構造を示した断面図、図１１は各種機器における一例としての画像形成装置を駆動するギアを組み込んだ近傍に、コントロール基板２０と本発明のシールドボックス２２を組み込んだ状態を、コントロール基板２０の背面側から見た斜視図、図１２は各種機器における一例としての画像形成装置を駆動する減速ギアを組み込んで、本発明のシールドボックス２２を取り付けた状態を示す斜視図、図１３は各種機器における一例としての画像形成装置の外装カバーを取り外し、本体フレームに本発明のシールドボックス２２を組み込んだ状態を示した斜視図、図１４は各種機器における一例としての画像形成装置における内部機構を省略して本発明のシールドボックスを組み込んだ側から見た斜視図である。なお、以下の説明では本発明を画像形成装置１０に適用した場合を例に説明してゆくが、本発明は画像形成装置のみでなく、同様な各種機器に適用できることは自明である。
【００２５】
図１４は、各種機器の一例として取り上げた例えば画像形成装置１０の内部機構を省略して示した外観斜視図である。この画像形成装置１０は、図上、左側が操作等を行う前面となり、上部にトナー画像が定着された記録媒体を排紙する排紙部１３を備えている。また、図上手前側（画像形成装置１０前面側から見て右側）となるサイドカバー１１には、風抜き用スリット１１１とファン（図示せず）による空気の取り入れ口１１２が設けられている。そして画像形成装置１０を制御するコントロール基板とそのコントロール基板から発生する電波ノイズのシールドと放熱とを行うシールドボックスは、このサイドカバー１１の内側の本体フレームに設けられている。なお、以下の説明では、シールドボックスを画像形成装置１０の図上、手前側に設ける場合を例に説明するが、図上奥側に設けても良いことは自明である。
【００２６】
図１４に示した、本発明になるシールドボックス２２が組み込まれた各種機器の一例としての画像形成装置１０は、内部に図示していない感光体、該感光体周辺に潜像を形成するための帯電装置、露光装置、そして形成された潜像を現像してトナー画像とする現像装置、トナー画像を記録媒体に転写する転写手段、転写後に感光体上に残ったトナーをクリーニングするクリーニング装置などが配され、さらに記録媒体を感光体の転写位置に搬送してトナー画像を転写した後、定着装置まで搬送してトナー画像を記録媒体に定着させ、さらに排紙位置まで搬送する搬送手段などが設けられて、これらを駆動するためにモータや画像形成装置本体内部で発生する熱を排出するためにファンなどが設けられている。
【００２７】
図１３は、図１４におけるサイドカバー１１を外し、シールドボックス２２の組み込み状態を示した斜視図である。シールドボックス２２は、一部に開口部を覆うリッド（蓋壁）２５が設けられ、画像形成装置１０における図上手前右側の本体フレーム１２の駆体取り付け面に組み込まれる。そしてその内側には、画像形成装置１０のコントロール基板が配される。またこの本体フレーム１２には、画像形成装置１０における図示していない感光体、現像装置、定着装置などを駆動するダイレクトドライブモータ１５が、画像形成装置１０の内部に冷却風を送り込むファン１４の風路の途中に位置し、効率的に冷却されるようになっている。また、コントロール基板に搭載しきれなかった制御回路などを搭載し、コントロール基板と画像形成装置１０における制御対象とを結んで発熱部品を搭載した中継基板３０などもこの風路に配され、さらにそれ以外に、記録媒体等の搬送装置などをギアなどにより駆動するモータ１６などが、この本体フレーム１２に組み込まれる。
【００２８】
そしてシールドボックス２２は、本体フレーム１２への取り付け面とは反対側に、サイドカバー１１におけるスリット１１１が来るように位置している。そのため、シールドボックス２２内部に配置したコントロール基板に搭載した部品からの熱は、シールドボックス２２におけるファン１４側の通風孔を通して入る冷却風の一部が、サイドカバー１１側の通風口とスリット１１１を通して外部に排出されることで、排熱されるようになっている。
【００２９】
またこのシールドボックス２２は、収容する基板における第１の回路ブロックを覆う第１のボックス２２１と、第２の回路ブロックを覆う第２のボックス２２２とで構成され、周囲を側壁で取り囲んであると共に、第１の回路ブロックと第２の回路ブロックとを仕切る隔壁を有している。また、第１のボックス２２１は、縦長の略直方体状に形成され、サイドカバー１１側が開口されて開閉可能なリッド（蓋壁）２５で覆われている。第２のボックス２２２は、横長の略直方体状に形成され、図示していない隔壁を介して第１のボックス２２１に連接し、サイドカバー１１側に正面天壁２３４を有している。従って、シールドボックス２２における第１のボックス２２１は、リッド２５で開閉可能な開口を設けたことで、サイドカバー１１を外し、リッド２５を開けば、シールドボックス２２で覆う基板上の部品をその開口から追加したり交換したりできる。また隔壁は、第１のボックス２２１と第２のボックス２２２を隔て、内部の部品をそれぞれ独立に冷却できるようにしているから、第１のボックス２２１と第２のボックス２２２にはそれぞれ機能的に異なる部品を収容し、異なる冷却効果が得られるように構成することができる。
【００３０】
図２は、各種機器の一例である画像形成装置１０を制御する制御回路を搭載したコントロール基板２０の一例斜視図である。このコントロール基板２０は、前記したようにシールドボックス２２の内側に設けられ、図上、上下方向に縦長な略長方形状として、制御用の複数の標準電子部品を搭載した画像形成装置全体を制御する第１の回路ブロック２０２、また、図上、左右方向に横長な略長方形状とし、右辺が第１の回路ブロック２０２における右辺と略揃うようにして、後から追加的に付加機能機器を搭載できるようにした第２の回路ブロック２０３、第１の回路ブロック２０２と画像形成装置１０の制御対象とを結ぶコネクタを収容し、シールドボックス２２からは露出したコネクタブロック２０１とが配されている。
【００３１】
そして第１の回路ブロック２０２には、ＣＰＵ（Ｃｅｎｔｒａｌ  Ｐｒｏｃｅｓｓｉｎｇ  Ｕｎｉｔ）２１２、各種メモリ、クロックジェネレータ２１３等の電波や熱を特に多量に発生する高周波処理部品や発熱部材が集められて収納されている。また、この第１の回路ブロック２０２には、こういったＣＰＵ２１２、クロックジェネレータ２１３等で代表される各種電気回路部品以外に、コントロール基板２０に垂直方向から挿脱されるＥＰＲＯＭ（Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）基板増設用のコネクタ２１４、ＤＩＭＭ（Ｄｕａｌ  Ｉｎｌｉｎｅ  Ｍｅｍｏｒｙ  Ｍｏｄｕｌｅ）基板増設用のコネクタ２１５、ＤＤＲ  ＳＤＲＡＭ（Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）基板増設用のコネクタ２１６等、各種メモリ基板をコントロール基板２０に対して垂直方向から挿脱するコネクタ類が搭載されている。
【００３２】
さらに第２の回路ブロック２０３には、本体出荷後に後から追加的にコントロール基板２０に対して水平方向へ挿脱できるよう、ハードディスク（ＨＤ）用のコネクタ２１７、コンパクトフラッシュ（登録商標）（ＣＦ）やマイクロドライブなどのカード用のカード受入コネクタ２１８、などの付加機能機器用コネクタが対応して搭載されている。尚、図２におけるカード受入スロットコネクタ２１８には、コンパクトフラッシュ（登録商標）などのメモリカードが挿入された状態を図示しているが、通常の使用状態を示しているのではなく、オプションで追加された状態を示していることに注目されたい。
【００３３】
そのため、シールドボックス２２における第１のボックス２２１のリッド２５の開放により、これらメモリ基板が挿抜可能な方向に上記コネクタ類が配され、又第２の回路ブロック２０３に設けられた付加機能機器のコネクタへの付加機能機器取り付け方向は、第２のボックス２２２の正面天壁２３４と平行に形成されていることで、第１の回路ブロック２０２と第２の回路ブロック２０３とはそれぞれ第１のボックス２２１と第２のボックス２２２を大きくすることなく回路部品を挿抜または取り付け可能となる。すなわち、第１の回路ブロック２０２に挿抜する部品はメモリ基板など、比較的背の低い部品であり、逆に第２の回路ブロック２０３に取り付ける部品はハードディスクなど、比較的大型の部品である。従って、これら挿抜または取り付け方向を変更すると、上記したようにそれぞれを囲繞するボックスが大型化するが、以上説明した構成とすることで、そういったことが避けることができる。
【００３４】
また、コネクタブロック２０１には、第１の回路ブロック２０２と画像形成装置における制御対象とを結ぶコネクタ類などが配されている。そしてこのコネクタブロック２０１は、第１の回路ブロック２０２の一辺に、第２の回路ブロック２０３の突出方向と同じ方向に突出させて配されている。従ってこのコントロール基板２０は、全体として略コの字状に形成されて凹部２０４が形成されている。
【００３５】
図１は、図２に示したコントロール基板２０を覆うシールドボックス２２の一例である。図１（Ａ）は、このシールドボックス２２を表側（コントロール基板２０を覆う側）から見た斜視図で、図１（Ｂ）は裏側から見た斜視図である。このシールドボックス２２は、前記したように略直方体状で図上、上側となり、開口を覆うリッド２５を開閉自在に取り付けられるようにした第１のボックス２２１と、この第１のボックス２２１に隔壁２４０を介して下側に連接し、略直方体状とした第２のボックス２２２とからなっている。
【００３６】
第１のボックス２２１は、コントロール基板２０における第１の回路ブロック２０２を覆い、第２のボックス２２２は第２の回路ブロック２０３を覆う。そして前記したように、このシールドボックス２２を画像形成装置１０に取り付けた状態では、ファン１４からの冷却風が側壁２２３に穿設された通風孔２４３を通してこの第１のボックス２２１に入ってゆく。また、側壁２２３と対向する側壁２２４には、図１（Ｂ）に示したようにＵＳＢやＬＡＮ、及びパラレルインターフェィスなどのコネクタ類を露出させる各種コネクタ用開口２３７が、図上上下方向に並んで設けられ、付加機能機器や基板を挿脱するための開口２３６が第２のボックス２２２側に設けられている。この側壁２２４は、シールドボックス２２を画像形成装置１０に取り付けた際、装置本体外に露出するようになっている（図１３参照）。
【００３７】
図３は、このシールドボックス２２の展開図である。シールドボックス２２は、加工や組み立てのし易さ及び放熱効果等を考慮して、厚さが０．５ｍｍ程度の１枚の板金で製作されている。このうち、第１の回路ブロック２０２に対応した長方形の第１のボックス２２１側には、左右の側面壁２２３、２２４、図上、上面側となる上面壁２２５、メモリ基板等を挿抜するために設けられた略長方形の開口２２６などが設けられている。
【００３８】
また、第２の回路ブロック２０３に対応した第２のボックス２２２側には、同じく左右となる側面壁２３１、２３２、下面側となる下面壁２３３、サイドカバー１１側となる正面天壁２３４が設けられている。なお、第２のボックス２２２の右側面壁２３２は、第１のボックス２２１の右側面壁２２４と同一の右側面上に繋がっている。そして各側壁２２３、２２４、２３１、２３２、上面壁２２５、下面壁２３３、隔壁２４０、壁２４１の高さは、コントロール基板２０の第１の回路ブロック２０２に収容される標準電気部品やメモリ基板、第２の回路ブロック２０３に収容される付加機能機器や基板などの高さに合わせて設定されている。
【００３９】
第１のボックス２２１側の開口２２６は、リッド２５を外したとき、コントロール基板２０における基板増設用のコネクタ２１４、２１５、２１６等に各種メモリや基板を、コントロール基板２０に対して垂直方向から挿抜できるよう設けたもので、大きな露出空間が形成されるようにその面積が設定されている。また、この開口２２６となる部分からは、第２のボックス２２２側に、第１のボックス２２１と第２のボックス２２２とを隔てる隔壁２４０が起こされる。さらに側壁２３１の延在部からは、第２のボックス２２２におけるファン１４側に延在した部分の、第１のボックス２２１側の壁２４１が形成される。
【００４０】
そしてこのうち右側面壁２２４、２３２には、ＵＳＢやＬＡＮ、及びパラレルインターフェィスなどのコネクタ類を露出させる各種コネクタ用開口２３７が図上上下方向に並んで設けられ、付加機能機器や基板を挿脱するための開口２３６が第２のボックス２２２側に設けられる。また、下面壁２３３と隔壁２４０には、第２のボックス２２２に収容する基板やハードディスクをガイドする、２対のガイド部材２３５がプレス加工などで設けられ、このガイド部材２３５の間にハードディスクや基板を挟持しながら挿入できるようになっている。
【００４１】
また、各側壁２２３、２３１、上面壁２２５、下面壁２３３、正面天壁２３４には、ファン１４から送られてくる風をシールドボックス２２内に、或いはシールドボックス２２内から外部へ送り出す通風孔２４３が設けられている。なお、第１のボックス２２１における開口２２６の周囲に２２７の符号を付した部分は枠壁で、その枠壁２２７における開口２２６側に設けた帯状の２２８の符号を付した部分は枠壁２２７の折曲周縁部であり、この折曲周縁部２２８を、略１３５度ほどコントロール基板２０側に折り曲げて開口周縁２２９を形成するようにしたものである。すなわちこの開口周縁２２９により板金の切り口が露出しなくなり、ユーザが開口２２６から、各種メモリ基板を第１の回路ブロック２０２のコネクタ２１４、２１５、２１６などに挿脱する際、手を切ることが防止でき、ＰＬ（製造物責任）に対処できるようにするためのものである。
【００４２】
またこの枠壁２２７には、後記するリッド２５に設けられた舌片を差し込み、リッド２５を回転させられるようにするため、スリット状に細く形成した受け孔２３０が設けられている。さらに壁２４１の端部には、冷却風を第１のボックス２２１と第２のボックス２２２との間を通せるよう所定幅とした斜片２４２が設けられ、隔壁２４０との間に隙間を形成するようになっている。
【００４３】
そしてこのシールドボックス２２は、ビス穴５０〜５８にビスを通して前記図１３に示したように画像形成装置１０の本体フレーム１２に取り付けられる。なお、各側壁２２３、２２４、２３１、２３２、上面壁２２５、下面壁２３３、隔壁２４０、壁２４１の高さは、前記したようにコントロール基板２０の第１の回路ブロック２０２に収容される標準電機部品やメモリ基板、第２の回路ブロック２０３に収容される付加機能機器や基板などの高さに合わせて設定されている。
【００４４】
また、第１のボックス２２１における左側面壁２２３側と、第２ボックス２２２における略長方形状の長辺側とがＴ字状に交わる交点部の枠壁２２７側には、後記図６で詳細を説明するように、隔壁２４０と左側面壁２２３を曲げやすくするため切れ込み４０２が入れてあるが、そのままでは非常に細く最狭部となって弱くなるため、４０１で示したようにテーパ状に形成して補強してある。
【００４５】
図４は、シールドボックス２２における開口部２２６を塞ぐリッド（蓋）２５を除き、図１と同様表側から見たシールドボックス２２の斜視図（Ａ）と裏側から見た斜視図（Ｂ）である。シールドボックス２２は、１枚の板金に、まず、図３の展開図に示したような切れ込みを入れると共に、所定部分で折り曲げる、或いはプレスしてガイド部材２３５などを形成する。その後、開口部２２６周辺となる枠壁２２７に設けられた折曲周縁部２２８をコントロール基板２０側に１３５度以上折り曲げ、開口２２６の周縁２２９とする。そして、各側壁２２３、２２４、２３１、２３２、上面壁２２５、下面壁２３３、隔壁２４０、壁２４１をそれぞれコントロール基板２０側となるよう折り曲げ、さらに、ビス穴５０〜５８を設けた片をコントロール基板２０と平行な方向に折り曲げることで容易に形成することができる。
【００４６】
そのため、シールドボックス２２の加工や組立が非常に容易であると共に、大きな強度を備えることができ、また、１枚の板金で製作していることにより、コントロール基板２０における第１の回路ブロック２０２に配したＣＰＵ２１２などの発熱源からの熱は、このシールドボックス２２の第１のボックス２２１から第２のボックス２２２へも伝熱し、全体として大きな放熱板となって放熱に対して非常に効率が良くなる。さらに、壁２４１は、前記図３で説明したように正面天壁２３４の短辺側を折り曲げて形成される左側面壁２３１の延長上に設けられるが、折り曲げたとき、その折り曲げ方向は隔壁２４０の折り曲げ方向に対して９０度ずれた方向となる。そのため、図４（Ｂ）からわかるように、左側面壁２２３に当たってそれ以上開くことができず、付加機能機器が挿入されたときにそれを確実に保持することができるようになっている。
【００４７】
さらに、この壁２４１の先端となる斜片２４２は、第１のボックス２２１側に所定角度だけ斜めに折り曲げることで、隔壁２４０との間に隙間が形成でき、第１のボックス２２１から第２のボックス２２２への風路が形成することが可能となる。また、第２のブロック２２２は、正面天壁２３４を有して形成されているため、大きな強度を保つことができる。
【００４８】
図５はシールドボックス２２における開口２２６を塞ぐリッド（蓋）２５を表側から見た斜視図（Ａ）と裏側から見た斜視図（Ｂ）である。このリッド２５は、シールドボックス２２と同様１枚の板金から略長方形状に形成され、強度確保のため、コントロール基板２０に対して逆側となる方向に突出するよう、周縁部近くに２５１の番号を付した部分でプレスされて上部分２５２の符号を付した段差が形成されている。また、この上部分２５２の隔壁２４０側には、さらに１段、コントロール基板２０に対して逆側となる方向に突出した段差部２５３が設けられている。
【００４９】
この段差部２５３のコントロール基板２０からの突設高さは、コネクタ２１６にシールドボックス２２の高さよりも高い増設用メモリ基板などを挿入することができるような高さで、かつ、シールドボックス２２とサイドカバー１１との隙間を一定にすることができるよう、段差部２５３がサイドカバー１１に当接するか僅かな隙間を空けて位置するような高さとしてある。そのため、シールドボックス２２の基板２０からの高さより高い増設用メモリ基板などを装着することが可能であると共に、リッド２５が正常に閉じていないような場合には、画像形成装置１０にサイドカバー１１をかぶせた際、この段差部の存在により、サイドカバー１１は正しい位置に位置付けることができず、装着状態に問題があることを認識できる。
【００５０】
そしてリッド２５における、図５（Ａ）では図上左側、図５（Ｂ）では図上右側となる周縁には、シールドボックス２２における側面壁２２３側となるよう所定幅を持って折り曲げられた折り曲げ部２５４、２５５が設けられ、かつ、折り曲げたときに内側となる方に所定の間隔で突起２５９が形成してある。また、リッド２５における図上、上下方向にも、折り曲げたときに外側となる方に、所定の間隔で突起２５９が形成してある折り曲げ部２５６、２５７が設けられている。これら折り曲げ部２５４、２５５、２５６、２５７に設けられた突起２５９は、折り曲げ部２５４、２５５の突起２５９がシールドボックス２２における側面壁２２３をしごき、折り曲げ部２５６、２５７に設けられた突起２５９は、シールドボックス２２における開口２２６の開口折り曲げ部２２８で形成される周縁部２２９をしごいて、シールドボックス２２との導通を確保すると共に、リッド２５が容易に脱落しないように嵌合させる役目を持っている。
【００５１】
また、リッド２５の図５（Ａ）では図上右側、図５（Ｂ）では図上左側となる周縁には、シールドボックス２２における枠壁２２７に設けられたリッド回転受け孔２３０（図４（Ａ）参照）に差し込む舌片２５８が形成され、この舌辺２５８をリッド回転受け孔２３０に差し込み、開口２２６を塞ぐ方向に回転させて開口２２６を閉じることができるようになっている。そしてその際、周辺折曲部２５４、２５５、２５６、２５７に設けられた突起２５９が側面壁２２３をしごき、また、折り曲げ部２５６、２５７の突起２５９が開口２２６の折曲周縁部２２８をしごいて嵌合させる。このように突起２５９で側面壁２２３と周縁部２２９をしごくことで、このリッド２５はこのシールドボックス２２から外れることなく嵌合し、また、シールドボックス２２との導通も確保されて開口２２６を塞ぐことができる。なお、リッド２５の上部分２５２には、通風のための通風孔２４３が適宜設けられている。
【００５２】
このリッド２５をシールドボックス２２に取り付けるとき、周辺折り曲げ部２５４、２５５、２５６、２５７に設けられた突起２５９で側面壁２２３と周縁部２２９をしごくのは、最近、シール板金といえども環境配慮のためにクロムが使えず、皮膜部材として有機皮膜（絶縁体）を使用しているため、強く擦りつけて表面を擦ってリッド２５とシールドボックス２２との導通効果を得るためであり、リッド２５で開口２２６を閉じるときに行われるしごきによって、リッド２５には開閉時に大きな曲げ応力が加わるが、前記したようにリッド２５にはプレス部２５１により形成された上部分２５２が設けられているため、反ったり変形してしまうことはない。
【００５３】
図６は、シールドボックス２２における第１の回路ブロック２２１と第２の回路ブロック２２２を覆う部分の接続部を示した斜視図である。この部分は前記図３でも説明したように、第１のボックス２２１における左側面壁２２３側と、第２のボックス２２２における略長方形状の長辺側とがＴ字状に交わる交点部の枠壁２２７側に、隔壁２４０と左側面壁２２３を曲げやすくするため切れ込み４０２が入れてあるが、この部分を枠壁２２７の幅のままとすると切れ込み４０２分だけ細くなって弱くなるため、４０１で示した部分をテーパ状に形成し、補強できるようにしたものである。
【００５４】
図７は、コントロール基板２０の第１の回路ブロック２０２に納まりきれなかった制御回路などを搭載し、各種機器としての画像形成装置における制御対象と接続できるようにした中継基板３０の斜視図である。この中継基板３０を用いることで、コントロール基板２０に搭載しきれなかった各種追加機能を付加できるようになる。しかしながら、このような中継基板３０は、通常、その設置場所が問題となる。
【００５５】
しかしながらコントロール基板２０は、前記図２で説明したように、略長方形状の第１の回路ブロック２０２における短辺側に、略長方形状の第２の回路ブロック２０３における長辺側が隣接され、さらにこの第１の回路ブロック２０２における第２の回路ブロック２０３が隣接した側とは逆の端部に、第２の回路ブロック２０３の突出方向と同一方向にコネクタブロック２０１が突出して全体として略コの字状、または略逆コの字状に形成されている。そのため、この略コの字状の凹部２０４に、こういった中継基板３０や、感光体ドラムを含むユニットを駆動するギア、またはモータの一部を収容できるようにしてある。
【００５６】
図８は、この略コの字状に形成されたコントロール基板２０における凹部２０４に、一例として図７に示したような中継基板３０を設置した状態を背後から見た斜視図で、上記したようにコントロール基板２０に凹部２０４が設けられ、また、シールドボックス２２も第１のボックス２２１と第２のボックス２２２が略逆Ｌ字状に設けられて、コントロール基板２０の凹部２０４と対応した部分に何も無いから、このように中継基板３０を設置することができる。
【００５７】
図９は、シールドボックス２２を、各種機器としての画像形成装置の外装周辺装置にリッド２５を外した状態で実装した状態を示した斜視図である。この図９に示した例では、コントロール基板２０における凹部２０４に、中継基板３０と共に画像形成装置１０における感光体ドラムや現像装置、及び記録媒体の搬送装置などを駆動するための駆動源たるモータ１７を収容し、さらにそのモータ１７の駆動力を上記した各ユニットに伝えるギア１９等を配した場合であり、このように画像形成装置１０を小型に構成するため、モータ１７やギア１９の配置位置が限られた場合でも、コントロール基板２０に凹部２０４を設けることで、画像形成装置そのものを大型にすることなく収容することが可能となる。
【００５８】
また図１１は、図９に示したコントロール基板２０と本発明のシールドボックス２２とを組み合わせた状態を、コントロール基板２０の背面側から見た斜視図である。すなわち、図９で説明したように、コントロール基板２０における凹部２０４に、中継基板３０と共に画像形成装置１０における感光体ドラムや現像装置、及び記録媒体の搬送装置などを駆動するための駆動源たるモータ１７を収容し、さらにそのモータ１７の駆動力を上記した各ユニットに伝えるギア１９等を配した場合でも、コントロール基板２０に凹部２０４を設けることで、画像形成装置そのものを大型にすることなく収容することが可能となることがわかる。
【００５９】
図１２は、さらに画像形成装置における記録媒体を搬送するモータ１６を付け加えた例を示す斜視図である。各種機器としての画像形成装置では、高速化によって単一のモータでは、前記したユニット全てを駆動することができない場合でも、例えばダイレクトドライブモータ１５によって感光体ドラムを駆動し、減速ギア１８によって減速して現像装置などを駆動すると共に、もう１つのモータ１６は記録媒体を搬送するための駆動源とすることがあるが、モータ１５、１６や減速ギア１８の配置位置が限られた場合でも、コントロール基板２０に凹部２０４を設けたことで、画像形成装置そのものを大型にすることなく収容することが可能となる。
【００６０】
図１０は、図９におけるＸ−Ｘ線の断面図で、このシールドボックス２２を本体フレーム１２に取り付ける構造を示している。図中、５００はビスであり、２０はコントロール基板で、シールドボックス２２は、図１（Ｂ）、図３、図４（Ｂ）、図１１に示したように、第１のボックス２２１と第２のボックス２２２との下側に、ビス用の孔５０、５１、５２、５３、５４、５５、５６、５７が設けられている。そのためこのビス用の穴を用い、図９、図１０に示したように本体フレ−ム１２にビス５００でア−スしながら固定する。この内、２箇所のビス５１、５２は、この図１０に示したようにコントロール基板２０との共締めとなっている。
【００６１】
尚、以上説明してきた本発明の実施の形態では、通風孔２４３はシールドボックス２２に一様に形成しているが、熱や電波の遮蔽効果や排送の際の風路を考慮して、左側面壁２３１やリッド２５以外の面壁には、選択的に形成しても良い。
【００６２】
以上種々述べてきたように本発明によれば、シールドボックスにおける周囲を取り囲む側壁と、第１の回路ブロックと第２の回路ブロックとを仕切る隔壁とを１枚板金で構成したことで、シールドボックスそのものを丈夫に構成でき、各回路ブロックの発熱量が異なる場合も隔壁の存在で個別に効率的に冷却することが可能となる。さらに隔壁に、付加機能機器または付加機能基板を挟持して案内するガイド部を形成したことで、別途ガイドを設ける必要がないから部品点数削減と組立て工数の削減が可能となってコストダウンができる。
【産業上の利用可能性】
【００６３】
本発明によれば、各種機器を構成するコントロール基板や本体出荷後に取り付け可能な付加機能機器とその基板など、複数の部品から発生する熱や電波ノイズをシールドボックスそのものを大型化したり複数に分割することなく効率よく遮蔽（シ−ルド）でき、しかも、冷却効率を悪化させたり各種機器そのものを大型化させてしまうことなくシールドボックス自体も経済的に形成できるから、画像形成装置などの各種機器に適用して好適なシールドボックスを提供することができる。
【図面の簡単な説明】
【００６４】
【図１】本発明になる画像形成装置におけるシールドボックスの一例を、表側（コントロール基板を覆う側）から見た斜視図（Ａ）と裏側から見た斜視図（Ｂ）である。
【図２】本発明になるシールドボックスにより、電気的シールドと放熱を行うコントロール基板の一例斜視図である。
【図３】本発明になるシールドボックスを１枚の板金で製作する際の展開図である。
【図４】本発明になるシールドボックスにおける開口部を塞ぐ蓋（リッド）を除き、図１と同様表側から見た斜視図（Ａ）と裏側から見た斜視図（Ｂ）である。
【図５】本発明になるシールドボックスにおける開口部を塞ぐ蓋（リッド）を、表側から見た斜視図（Ａ）と裏側から見た斜視図（Ｂ）である。
【図６】本発明になるシールドボックスにおける、第１の回路ブロックと第２の回路ブロックを覆う部分の接続部を示した斜視図である。
【図７】第１の回路ブロックに搭載しきれなかった制御回路などを搭載し、第１の回路ブロックと制御対象を結ぶ中継基板の斜視図である。
【図８】コントロール基板に図７に示した中継基板を接続した状態を背後から見た斜視図である。
【図９】本発明のシールドボックスを画像形成装置の外装周辺装置に蓋（リッド）を外した状態で実装した状態を示す斜視図である。
【図１０】本発明におけるシールドボックスを、画像形成装置本体側フレームに取り付ける構造を示した断面図である。
【図１１】画像形成装置を駆動するギアを組み込んだ近傍に、コントロール基板と本発明のシールドボックスを組み込んだ状態をコントロール基板の背面側から見たときの斜視図である。
【図１２】画像形成装置を駆動する減速ギアを組み込んで本発明のシールドボックスを取り付けた状態を示す斜視図である。
【図１３】画像形成装置の外装カバーを取り外し、本体フレームに本発明のシールドボックスを組み込んだ状態を示した斜視図である。
【図１４】画像形成装置における内部機構を省略し、本発明のシールドボックスを組み込んだ側から見た斜視図である。
【符号の説明】
【００６５】
１１  サイドカバー（外カバー）
１１１  スリット
１４  ファン
２０  コントロール基板
２０２  第１の回路ブロック
２０３  第２の回路ブロック
２２  シールドボックス
２２１  第１のボックス
２２２  第２のボックス
２２３  左側面壁
２２４  右側面壁
２２５  上面壁
２２６  開口
２２７  枠壁
２２８  折曲周縁部
２２９  開口周縁
２３０  リッド回転受け孔
２３１  左側面壁
２３２  右側面壁
２３４  正面天壁
２３３  下面壁
２３５  ガイド部材（ガイド部）
２３６  付加機能機器挿脱用開口
２３７  各種コネクタ用開口
２４０  隔壁
２４１  隔壁
２４２  斜片
２４３  通風孔
２５  リッド（蓋壁）
２５１  プレス部
２５２  上部分
２５３  段差部
２５４、２５５、２５６、２５７  周辺折曲部
２５８  舌辺
２５９  突起
３０  中継基板
４０１  テ―パ部
４０２  切り込み
５０、５１、５２、５３、５４、５５、５６、５７、５８  ビス孔
【図１】
2007095967.tif 000003
【図２】
2007095967.tif 000004
【図３】
2007095967.tif 000005
【図４】
2007095967.tif 000006
【図５】
2007095967.tif 000007
【図６】
2007095967.tif 000008
【図７】
2007095967.tif 000009
【図８】
2007095967.tif 000010
【図９】
2007095967.tif 000011
【図１０】
2007095967.tif 000012
【図１１】
2007095967.tif 000013
【図１２】
2007095967.tif 000014
【図１３】
2007095967.tif 000015
【図１４】
2007095967.tif 000016